(57)【特許請求の範囲】
【請求項１】
床板部の外端部に壁パネル載置用の立ち上がり部を有する床パンの外端部の一部に立ち上がり部から床板部の端部よりやや引き込んだ位置まで除去されたドア枠配設用の切欠部を設け、この切欠部にドア受け部材を配置して床パンに固定し、左右両縦枠の上端部間及び下端部間に上枠及び下枠を架設してドア枠を構成すると共に下枠の浴室側の端部を縦枠の浴室側の端部よりも浴室側に突出させて浴室側突出部とし、この浴室側突出部を横向きの角筒状に形成し、浴室側突出部の横方向の端部にドア枠隅ブロックの嵌め込み部を嵌め込んでドア枠隅ブロックを縦枠の下端部の浴室側の面の前方に配置し、ドア枠をドア受け部材に載設して固着し、ドア枠隅ブロックの上面部に設けた嵌合部にドア隅キャップに設けた被嵌合部を嵌合してドア隅キャップによりドア枠隅ブロックの上面と、縦枠の浴室側の面の下端部と、切欠部の立ち上がり部に沿った部分と立ち上がり部に連続する床板部に沿った部分を覆って成ることを特徴とする浴室のドア枠取付け構造。
【請求項２】
ドア受け部材の端部に端部ブロックを設け、端部ブロックを切欠部の両側の立ち上がり部の裏面に沿わせて固着手段により固着して成ることを特徴とする請求項１記載の浴室のドア枠取付け構造。
【発明の詳細な説明】
【０００１】
【発明の属する技術分野】
本発明は、浴室のドア枠取付け構造に関するものである。
【０００２】
【従来の技術】
図１５、図１６に従来例を示す。床パン３には外端部に立ち上がり部２を設け、立ち上がり部２の上端部に設けた壁パネル載置部に壁パネルを載設するようになっている。ところで、床パン３の外端部には上記のように壁パネルを載設する部分だけでなく、ドア枠６の下枠９を取付ける部分が必要であり、このため、従来にあっては、床パン３の外端部の一部にドア枠６の下枠９を載設して取付けるためのドア枠載設部５０をあらかじめ床パン３に一体に成形していた。そしてこのドア枠載設部５０にドア枠６の下枠９を載設していた。
【０００３】
ところが、上記のようにドア枠載設部５０を床パン３の外端部の一部に一体に形成するものの場合、床パン３の外端部におけるドア枠６の配設位置が一定であるため、例えば、ドア枠６の位置が図１６（ａ）〜（ｄ）等現場により異なるため、ドア枠載設部５０を設けた位置の異なる多種類の床パン３が必要である。
【０００４】
そこで、本発明者は本発明に到る過程で、床板部の外端部に壁パネル載置用の立ち上がり部を有する床パンの外端部の一部に立ち上がり部から床板部の端部よりやや引き込んだ位置まで除去されたドア枠配設用の切欠部を設け、この切欠部の位置にドア枠の下枠を配置することを考えた。これだと、切欠部を切断形成する位置を選択することで、ドア枠の配置位置を現場に応じた位置にすることができる。
【０００５】
しかしながら、このものにおいては、浴室用床パンを合成樹脂で成形するという成形上の制約など（例えば金型の離型を考慮するため）立ち上がり部と床板部とのなすコーナ部分がアール形状をしており、このため、上記のように立ち上がり部の一部を切欠して切欠部を形成するに当たっては、立ち上がり部から床板部の端部よりやや引き込んだ位置まで切断して除去する必要がある。そして、ドア枠の縦枠の浴室側の前面は立ち上がり部の前面にほぼ等しくし且つドア枠の下枠は上記切欠部に位置させるため、下枠が縦枠よりも浴室側に突出する構造となってしまう。このため、下枠の縦枠よりも浴室側に突出した部分の長手方向の端部部分をどのように仕舞うのか、また、切欠部の立ち上がり部に沿った部分と立ち上がり部に連続する床板部に沿った切断端部をどのように仕舞うのかということが新たな課題となっている。
【０００６】
【発明が解決しようとする課題】
本発明は上記の点に鑑みてなされたものであり、本発明の目的とするところは、下枠の縦枠よりも浴室側に突出した部分の長手方向の端部部分を綺麗に収めることができるとともに切欠部の立ち上がり部に沿った部分と立ち上がり部に連続する床板部に沿った切断端部が露出しないようにできる浴室のドア枠取付け構造を提供することにある。
【０００７】
【課題を解決するための手段】
上記課題を解決するために本発明に係る浴室のドア枠取付け構造は、床板部１の外端部に壁パネル載置用の立ち上がり部２を有する床パン３の外端部の一部に立ち上がり部２から床板部１の端部よりやや引き込んだ位置まで除去されたドア枠配設用の切欠部４を設け、この切欠部４にドア受け部材５を配置して床パン３に固定し、左右両縦枠７の上端部間及び下端部間に上枠及び下枠９を架設してドア枠６を構成すると共に下枠９の浴室側の端部を縦枠７の浴室側の端部よりも浴室側に突出させて浴室側突出部１０とし、この浴室側突出部１０を横向きの角筒状に形成し、浴室側突出部１０の横方向の端部にドア枠隅ブロック１１の嵌め込み部１２を嵌め込んでドア枠隅ブロック１１を縦枠７の下端部の浴室側の面の前方に配置し、ドア枠６をドア受け部材５に載設して固着し、ドア枠隅ブロック１１の上面部に設けた嵌合部１３にドア隅キャップ１４に設けた被嵌合部１５を嵌合してドア隅キャップ１４によりドア枠隅ブロック１１の上面と、縦枠７の浴室側の面の下端部と、切欠部４の立ち上がり部２に沿った部分と立ち上がり部２に連続する床板部１に沿った部分を覆って成ることを特徴とするものである。
【０００８】
このような構成とすることで、床板部１の外端部に設けた切欠部４にドア受け部材５を配置して床パン３に固定し、ドア枠６をドア受け部材５に載設して固着するので、切欠部４を切断形成する位置を選択することで、ドア枠６の配置位置を現場に応じた位置にすることができるものであり、また、下枠９の浴室側の端部を縦枠７の浴室側の端部よりも浴室側に突出させて浴室側突出部１０とし、この浴室側突出部１０を横向きの角筒状に形成し、浴室側突出部１０の横方向の端部にドア枠隅ブロック１１の嵌め込み部１２を嵌め込んでドア枠隅ブロック１１を縦枠７の下端部の浴室側の面の前方に配置し、ドア枠隅ブロック１１の上面部に設けた嵌合部１３にドア隅キャップ１４に設けた被嵌合部１５を嵌合してドア隅キャップ１４によりドア枠隅ブロック１１の上面と、縦枠７の浴室側の面の下端部と、切欠部４の立ち上がり部２に沿った部分と立ち上がり部２に連続する床板部１に沿った部分を覆うので、下枠９の縦枠７よりも浴室側に突出した部分の長手方向の端部部分を綺麗に収めることができ、また、切欠部４の立ち上がり部２に沿った部分と立ち上がり部２に連続する床板部１に沿った切断端部が露出しないようにできるものである。
【０００９】
また、ドア受け部材５の端部に端部ブロック１６を設け、端部ブロック１６を切欠部４の両側の立ち上がり部２の裏面に沿わせて固着手段により固着することが好ましい。このような構成とすることで、ドア受け部材５の端部を切欠部４の端部において立ち上がり部２の裏面に沿わせて固着できて、ドア受け部材５の端部を床パン３に確実に取付けることができて、ドア受け部材５が切欠部４の端部においてがたつかず、ドア受け部材５に載設して固定するドア枠６の端部の床パン３との収まりが良くなるものである。
【００１０】
【発明の実施の形態】
以下、本発明を添付図面に示す実施形態に基づいて説明する。
【００１１】
浴室の床を構成するための床パン３は床板部１の外端部に周方向にわたって壁パネル載置用の立ち上がり部２が上方に向けて一体に突設してある。立ち上がり部２の上端部はパネル載置片２ａと水切り片２ｂとよりなるＬ状部が設けてあり、立ち上がり部２の上部の背面側には嵌め込み凹所１７が設けてある。また、床パン３の床板部１の立ち上がり部２の突出基部付近には排水溝１８が凹設してある。更に、床パン３の床板部１の下面部には平面視で排水溝１８位置よりもやや内側に引き込んだ位置に外周に沿って垂下リブ１９が床板部１と一体に形成してある。
【００１２】
上記のような構成の床パン３の外周端部の立ち上がり部２の上端部のパネル載置片２ａ上に浴室の壁となる壁パネルを載設するのであるが、この床パン３の外周端部の一部にはドア枠６が配設される。床パン３の外端部のドア枠６の配設位置には現場におけるドア枠６の配置位置に対応した位置に切欠部４が設けてある。この切欠部４は床パン３の外端部の一部を立ち上がり部２から床板部１の端部よりやや引き込んだ位置まで除去することで形成される。図２には切欠部４の形成位置を示す各実施形態が示してある。もちろん、上記の各例以外の位置に切欠部４が形成される場合がある。
【００１３】
以下、図２（ａ）に示す切欠位置の例で説明する。この例は床パン３の一辺の片側に片寄った位置にドア枠６を配設する例であり、切欠部４の一端部が床パン３一辺に位置し、切欠部４の他端部が床パン３のコーナ部分に位置している。
【００１４】
図３には図２（ａ）のＡ部における切欠部４の端部を示し、この部分においては排水溝１８の巾方向の略中間部分まで到るように切り込んで形成するものであり、これにより床板部１の外端部と立ち上がり部２の下端部とのなす弧状をしたコーナ部を越えて切欠部４を形成してある。
【００１５】
また、図４には図２（ａ）のＢ部における切欠部４の端部が示してある。
【００１６】
切欠部４にドア受け部材５を配置して床パン３に固定されるものである。ドア受け部材５は横向きの受け片５ａの巾方向の一端部に下方に向けて固定垂下片５ｂを垂設し、固定垂下片５ｂの上端部から上方に上縦片５ｃを突設し、更に上縦片５ｃの上端から受け片５ａに対向する上横片５ｄを突設し、また、受け片５ａの巾方向の他端部に上方に向けて立ち上がり片５ｅを突設してあり、立ち上がり片５ｅと上横片５ｄの端部との間が嵌め込み用凹部２０となっている。ここで、図１４のように上横片５ｄの先端は自由端としたものであってもよく、あるいは、図１４のように上横片５ｄの先端と受け片５ａとを一体に接続縦片５ｆにより一体に連続させてもよい。
【００１７】
ドア受け部材５の長手方向の両端部には端部ブロック１６が任意の取付け手段で取付けてある。この端部ブロック１６には図２（ａ）のＡ部側に位置する端部ブロック１６ａと、図２（ａ）のＢ部側に位置する端部ブロック１６ｂとがあり、いずれも嵌め込み用凹部２０の長手方向の端部を遮蔽するためのブロック本体部２１を有している。更に、端部ブロック１６には切欠部４の端部の立ち上がり部２の裏面に沿わせて立ち上がり部２の嵌め込み凹所１７に嵌め込むための嵌め込み部２１ａを設けてある。ここで、図２（ａ）のＢ部側に位置する端部ブロック１６ｂのブロック本体部２１の上端面部にはパネル載置片２ａと水切り片２ｂとよりなるＬ状部と同形状のＬ状突片部２２が突設してあり、Ｌ状突片部２２の嵌め込み部２１ａと反対側の端部にはＬ状突片部２２に連続する端片部２３が突設してある。
【００１８】
上記の構成の長手方向の両端部に端部ブロック１６を有するドア受け部材５を切欠部４に配置し、両端部の端部ブロック１６を切欠部４の両側の立ち上がり部２の裏面に沿わせて嵌め込み部２１ａを立ち上がり部２の背面側の嵌め込み凹所１７にはめ込んだ状態で、ドア受け部材５の固定垂下片５ｂを床板部１の裏面側に突設した垂下リブ１９に固着手段であるねじ具２４により固着すると共に、嵌め込み凹所１７の側壁部と端部ブロック１６の嵌め込み部２１ａとをねじ具２４により固着するものである（図５乃至図７参照）。この際、図７に示すように、垂下リブ１９と立ち上がり片５ｅとの間、床板部１の下面と上横片５ｄとの間にそれぞれ防水パッキン２５を介在させてこの部分からの水漏れを防止している。また、図５、図６のように切欠部４の縁部分に沿って該切欠部４の縁部とドア受け部材５及び端部ブロック１６との接続境界をシリコンのようなシール材２７によりシールし、更に、Ａ部分においては図５に示すように床パン３の背面側において端部ブロック１６との接続境界を裏面側シール材２８によりシールし、また、Ｂ部分においては図６に示すように床パン３の背面側においてドア受け部材５との接続境界を裏面側シール材２８によりシールすることで、このように、複数箇所の防水パッキン２５、シール材２７、裏面側シール材２８により切欠部４に配設するドア受け部材５の取付け部分における防水を多段階で行うことで、確実な防水を図っている。
【００１９】
ドア枠６は左右両縦枠７の上端部間及び下端部間に上枠（図示せず）及び下枠９を架設して構成してある。下枠９の下面部には下方突出部３０が設けてある。また、下枠９の浴室側の端部を縦枠７の浴室側の端部よりも浴室側に突出させて浴室側突出部１０としてある。この浴室側突出部１０は横向きの角筒状に形成してあり、この横向き角筒状の浴室側突出部１０は上記下方突出部３０一部を構成している。浴室側突出部１０の横方向の端部にドア枠隅ブロック１１の下部側面に突設した嵌め込み部１２を嵌め込んでドア枠隅ブロック１１を縦枠７の下端部の浴室側の面の前方に配置してある。横向き角筒状をした浴室側突出部１０の上面部は凹溝１０ａとなっており、凹溝１０ａの巾方向の上面部両側には係止片１０ｂが設けてある。凹溝１０ａの溝底部には孔１０ｃが設けてある。ドア枠隅ブロック１１の上面部には凹となった嵌合部１３が設けてある。
【００２０】
ドア枠６は下枠９を床パン３の切欠部４に配置して下枠９の下方突出部３０をドア受け部材５の嵌め込み用凹部２０に嵌め込んで載置し、この状態で凹溝１０ａの溝底部に設けた孔１０ｃからねじ具２４を挿入してねじ具２４を横向き角筒状の浴室側突出部１０の底面部からドア受け部材５に螺入させて固着してある。孔１０ｃには弾性を有するゴムのようなキャップ３６を着脱自在に取付けて水が浸入しないようにしている。
【００２１】
図中１４はドア隅キャップである。このドア隅キャップ１４は図１２、図１３に示すように下横片１４ａと縦片１４ｂとで構成する断面略Ｌ状をしており、ドア隅キャップ１４の下横片１４ａ下面には凸となった被嵌合部１５が設けてある。このドア隅キャップ１４の凸となった被嵌合部１５をドア枠隅ブロック１１の上面部の凹となった嵌合部１３に嵌め込んで取付け、ドア隅キャップ１４によりドア枠隅ブロック１１の上面と、縦枠７の浴室側の面の下端部と、切欠部４の立ち上がり部２に沿った部分と立ち上がり部２に連続する床板部１に沿った部分を覆ってある。そして図１０、図１１に示すようにドア隅キャップ１４の周囲にシール材３１を打ち込んでシールしてある。
【００２２】
また、浴室側突出部１０の凹溝１０ａの上開口部には下枠カバー３２を着脱自在に取付けて凹溝１０ａを水密的に閉塞してある。下枠カバー３２は細長いカバー板部３２ａの下面部に一対の係止脚３２ｂを設けて構成してあり、カバー板部３２ａの裏面の一対の係止脚３２ｂ間にはクッション性を有する水密材３３が取着してある。この下枠カバー３２は係止脚３２ｂを係止片１０ｂに係止することで取付けてあり、この場合、水密材３３が凹溝１０ａの底面部に圧接し（キャップ３６部分にも圧接し）て凹溝１０ａ内に水が入らないようになっており、また、下枠カバー３２の浴室側の端縁部は切欠部４の排水溝１８部分の上面部に載置され、下枠カバー３２の端縁部と排水溝１８との境界部分がシール材３４によりシールされる。このようにすることで、孔１０ｃ部分を有する凹溝１０ａ部分に多段の防水手段により水が入らないように構成してある。下枠カバー３２の上面は取付けた状態で上面は床パン３の床板部１の上面、下枠９の上面と面一となるようになっている。
【００２３】
ドア枠６にはドア３５が開閉自在に取付けられるものである。
【００２４】
【発明の効果】
上記のように本発明の請求項１記載の発明にあっては、床板部の外端部に壁パネル載置用の立ち上がり部を有する床パンの外端部の一部に立ち上がり部から床板部の端部よりやや引き込んだ位置まで除去されたドア枠配設用の切欠部を設け、この切欠部にドア受け部材を配置して床パンに固定し、ドア枠をドア受け部材に載設して固着するので、切欠部を切断形成する位置を選択することで、ドア枠の配置位置を現場に応じた位置にすることができるものであってドア枠を取付ける部分の異なる床パンを何種類も用意する必要がないものであり、また、左右両縦枠の上端部間及び下端部間に上枠及び下枠を架設してドア枠を構成すると共に下枠の浴室側の端部を縦枠の浴室側の端部よりも浴室側に突出させて浴室側突出部とし、この浴室側突出部を横向きの角筒状に形成し、浴室側突出部の横方向の端部にドア枠隅ブロックの嵌め込み部を嵌め込んでドア枠隅ブロックを縦枠の下端部の浴室側の面の前方に配置し、ドア枠隅ブロックの上面部に設けた嵌合部にドア隅キャップに設けた被嵌合部を嵌合してドア隅キャップによりドア枠隅ブロックの上面と、縦枠の浴室側の面の下端部と、切欠部の立ち上がり部に沿った部分と立ち上がり部に連続する床板部に沿った部分を覆うので、上記のように立ち上がり部から床板部の端部よりやや引き込んだ位置まで除去されたドア枠配設用の切欠部を設けるといえども、下枠の縦枠よりも浴室側に突出した部分の長手方向の端部部分を綺麗に収めることができ、また、切欠部の立ち上がり部に沿った部分と立ち上がり部に連続する床板部に沿った切断端部が露出しないようにできるものである。
【００２５】
また、請求項２記載の発明にあっては、上記請求項１記載の発明の効果に加えて、ドア受け部材の端部に端部ブロックを設け、端部ブロックを切欠部の両側の立ち上がり部の裏面に沿わせて固着手段により固着してあるので、ドア受け部材の端部を切欠部の端部において立ち上がり部の裏面に沿わせて固着できて、ドア受け部材の端部を床パンに確実に取付けることができて、ドア受け部材が切欠部の端部においてがたつかず、ドア受け部材に載設して固定するドア枠の端部の床パンとの収まりが良くなるものである。
【図面の簡単な説明】
【図１】本発明のドア枠の取付け部分の断面図である。
【図２】（ａ）は同上の床パンに形成する切欠部の位置を示す一例の平面図であり、（ｂ）乃至（ｄ）は切欠部の位置を示す他の例を示す平面図である。
【図３】同上の切欠部の一端部を示す分解斜視図である。
【図４】同上の切欠部の他端部を示す分解斜視図である。
【図５】同上の切欠部にドア受け部材を取付けた状態における一端部の斜視図である。
【図６】同上の切欠部にドア受け部材を取付けた状態における他端部の斜視図である。
【図７】同上の切欠部にドア受け部材を取付けた部分の断面図である。
【図８】同上のドア受け部材にドア枠を取付けた状態の切欠部の一端部側の斜視図である。
【図９】同上のドア受け部材にドア枠を取付けた状態の切欠部の他端部側の斜視図である。
【図１０】同上の一端部側のドア枠隅ブロックにドア隅キャップを取付けた状態の斜視図である。
【図１１】同上の他端部側のドア枠隅ブロックにドア隅キャップを取付けた状態の斜視図である。
【図１２】同上に一端部側に用いるドア隅キャップの側面図である。
【図１３】同上に他端部側に用いるドア隅キャップの側面図である。
【図１４】本発明の他の実施形態の断面図である。
【図１５】従来例の断面図である。
【図１６】（ａ）（ｂ）（ｃ）（ｄ）はそれぞれ従来例の床パンの各例を示す平面図である。
【符号の説明】
１  床板部
２  立ち上がり部
３  床パン
４  切欠部
５  ドア受け部材
６  ドア枠
７  縦枠
８  上枠
９  下枠
１０  浴室側突出部
１１  ドア枠隅ブロック
１２  嵌め込み部
１３  嵌合部
１４  ドア隅キャップ
１５  被嵌合部
１６  端部ブロック
【図１】
0003664137.tif 000002
【図２】
0003664137.tif 000003
【図３】
0003664137.tif 000004
【図４】
0003664137.tif 000005
【図５】
0003664137.tif 000006
【図６】
0003664137.tif 000007
【図７】
0003664137.tif 000008
【図８】
0003664137.tif 000009
【図９】
0003664137.tif 000010
【図１０】
0003664137.tif 000011
【図１１】
0003664137.tif 000012
【図１２】
0003664137.tif 000013
【図１３】
0003664137.tif 000014
【図１４】
0003664137.tif 000015
【図１５】
0003664137.tif 000016
【図１６】
0003664137.tif 000017